(57)【要約】【課題】１缶３水式熱交換器の追焚・暖房機能付給湯装置おいて、追焚運転のみが長時間継続された場合の暖房回路の凍結予防運転を適切に行うことを目的とする。【解決手段】外気温検知部３８が所定温度以下を検知し、かつ、浴槽水が通常の追焚経路を循環して追焚運転が所定時間継続した場合、前記往き通路切換弁２２と、戻り通路切換弁１９とを駆動し、通常の追焚経路から暖房水循環経路を経由する追焚経路に切り替える制御手段３３を備えたものである。【選択図】  図１
2004347286.tif 000002
【特許請求の範囲】
【請求項１】
給湯用熱交換器と追焚・暖房用熱交換器よりなる１缶３水式熱交換器と、前記給湯用熱交換器で加熱された湯を追焚回路に供給する注湯回路に配した給湯電磁弁と、前記追焚・暖房用熱交換器の下流に設けた追焚・暖房往き通路と、前記追焚・暖房往き通路の温水温度を検知する追焚・暖房往き温度検知部と、前記追焚・暖房往き通路から分岐した追焚往き通路と暖房往き通路を切換える往き通路切換弁と、浴槽からの循環水が流れる追焚戻り通路と、前記追焚戻り通路の温水温度を検知する追焚戻り温度検知部と、暖房端末機からの循環水が流れる暖房戻り第１通路と、前記暖房戻り第１通路の温水温度を検知する暖房戻り温度検知部と、前記暖房戻り通路の下流に設けたタンクと、前記追焚往き通路とタンクをつなぐバイパス通路と、前記追焚戻り通路とタンクをつなぐ暖房戻り第２通路と、前記追焚戻り通路と暖房戻り第２通路を切換える戻り通路切換弁と、前記追焚・暖房用熱交換器の上流に設けられた追焚・暖房戻り通路と、前記追焚・暖房戻り通路に設けた浴槽水および暖房水を循環させる循環ポンプと、前記追焚・暖房戻り通路に設けた水流検知部と、外気温を検知する外気温検知部を備え、前記外気温検知部が所定温度以下を検知し、かつ、浴槽水が通常の追焚経路を循環して追焚運転が所定時間継続した場合、前記往き通路切換弁と、戻り通路切換弁とを駆動し、通常の追焚経路から暖房水循環経路を経由する追焚経路に切り替える制御手段を備えた追焚・暖房機能付給湯装置。
【請求項２】
制御手段は、外気温検知部が所定温度以下を検知し、かつ、浴槽水が通常の追焚経路を循環して追焚運転が所定時間継続した場合、前記往き通路切換弁と、戻り通路切換弁とを駆動し、浴槽水循環経路から暖房水循環経路を形成するように切り替えることを特徴とする請求項１記載の追焚・暖房機能付給湯装置。
【請求項３】
制御手段は、給湯入水側に設けた入水温度を検知する入水温度検知部が所定温度以下を検知し、かつ、浴槽水が通常の追焚経路を循環して追焚運転が所定時間継続した場合、前記往き通路切換弁と、戻り通路切換弁とを駆動し、通常の追焚経路から暖房水循環経路を経由する追焚経路に切り替えることを特徴とする請求項１記載の追焚・暖房機能付給湯装置。
【請求項４】
制御手段は、給湯入水側に設けた入水温度を検知する入水温度検知部が所定温度以下を検知し、かつ、浴槽水が通常の追焚経路を循環して追焚運転が所定時間継続した場合、前記往き通路切換弁と、戻り通路切換弁とを駆動し、浴槽水循環経路から暖房水循環経路を形成するように切り替えることを特徴とする請求項１記載の追焚・暖房機能付給湯装置。
【発明の詳細な説明】
【０００１】
【発明の属する技術分野】
本発明は、給湯と追焚と暖房ができる追焚・暖房機能付給湯装置に関するものである。
【０００２】
【従来の技術】
従来この種の１缶３水式熱交換器の追焚・暖房機能付給湯装置は、図２に示すような構成になっている。すなわち、給湯運転時には、給湯栓１を開くと湯量センサー２が通水を検知した後、燃焼用ファン３が回転し、ガス元電磁弁４、ガス比例弁５が開き、バーナ６に着火し、給湯用熱交換器７で加熱される。
【０００３】
ここで、給湯用熱交換器７で加熱された湯は、給湯回路８の入水側に設けたバイパス制御弁９により、入水側の水と混合される。混合された湯は遠隔操作用リモコン１０で設定した給湯設定温度になるよう出湯サーミスター１１の信号によりバイパス制御弁９の開度を調整し、給湯接続口１２を経て給湯栓１より給湯される。
【０００４】
次に、追焚運転時には、循環ポンプ１５により浴槽１６の浴槽水１７は、追焚戻り通路１８、戻り通路切換弁１９を経て流水検知部１３にて循環を検知されると、燃焼用ファン３が回転し、ガス元電磁弁４、ガス比例弁５が開き、バーナ６に着火し、追焚・暖房用熱交換器２０で加熱され追焚・暖房往き通路２１、往き通路切換弁２２、追焚往き通路２３、浴槽１６へ循環される。
【０００５】
次に、暖房運転時には、循環ポンプ１５により暖房端末機２４の暖房水２５は、暖房戻り第１通路２６、タンク２７、暖房戻り第２通路２８、戻り通路切換弁１９を経て流水検知部１３にて循環を検知されると、燃焼用ファン３が回転し、ガス元電磁弁４、ガス比例弁５が開き、バーナ６に着火し、追焚・暖房用熱交換器２０で加熱され追焚・暖房往き通路２１、往き通路切換弁２２、暖房往き通路２９、暖房端末機２４へ循環される。
【０００６】
次に、追焚、暖房同時運転時には、循環ポンプ１５により浴槽１６の浴槽水１７は、追焚戻り通路１８、戻り通路切換弁１９を経て流水検知部１３にて循環を検知されると、燃焼用ファン３が回転し、ガス元電磁弁４、ガス比例弁５が開き、バーナ６に着火し、追焚・暖房用熱交換器２０で加熱され追焚・暖房往き通路２１、往き通路切換弁２２、暖房往き通路２９、暖房端末機２４、タンク２７、バイパス通路３２、追焚往き通路２３、浴槽１６へ循環される。
【０００７】
次に、自動お湯はり運転時には、給湯用熱交換器７で加熱された湯は、給湯電磁弁３０が開き、一方は追焚・暖房戻り通路３１、追焚・暖房用熱交換器２０、追焚・暖房往き通路２１、往き通路切換弁２２、追焚往き通路２３から浴槽１６へ供給され、他方は戻り通路切換弁１９、追焚戻り通路１８から浴槽１６へ供給される。
【０００８】
追焚戻り温度検知部３６が所定の温度以下を検知した場合、往き通路切換弁２２と、戻り通路切換弁１９とを駆動し、循環ポンプ１５により浴槽１６の浴槽水１７は、追焚戻り通路１８、戻り通路切換弁１９、追焚・暖房用熱交換器２０、追焚・暖房往き通路２１、往き通路切換弁２２、追焚往き通路２３、浴槽１６へ循環されるため、回路の凍結を予防し、機器を破損から防ぐことが出来る。
【０００９】
また、暖房戻り温度検知部３７が所定の温度以下を検知した場合、往き通路切換弁２２と、戻り通路切換弁１９とを駆動し、循環ポンプ１５により、暖房端末機２４の暖房水２５は、暖房戻り第１通路２６、タンク２７、暖房戻り第２通路２８、戻り通路切換弁１９から流水検知部１３、追焚・暖房用熱交換器２０、追焚・暖房往き通路２１、往き通路切換弁２２、暖房往き通路２９、暖房端末機２４へ循環されるため、回路の凍結を予防し、機器を破損から防ぐことが出来る。
【００１０】
また、追焚戻り温度検知部３６と、暖房戻り温度検知部３７が共にそれぞれ所定の温度以下を検知した場合、往き通路切換弁２２と、戻り通路切換弁１９とを駆動し、循環ポンプ１５により浴槽１６の浴槽水１７は、追焚戻り通路１８、戻り通路切換弁１９、流水検知部１３、追焚・暖房用熱交換器２０、追焚・暖房往き通路２１、往き通路切換弁２２、暖房往き通路２９、暖房端末機２４、タンク２７、バイパス通路３２、追焚往き通路２３、から浴槽１６へ循環されるため、回路の凍結を予防し、機器を破損から防ぐことが出来る。
【００１１】
【発明が解決しようとする課題】
しかしながら従来の１缶３水式の追焚・暖房機能付給湯装置では、追焚運転のみが長時間継続された場合、過熱されていない暖房回路の暖房戻り温度検知部もその伝熱により温度が上昇し、循環回路内の温度よりも高めに検知してしまうため、外気温が低下し、凍結予防運転が必要な場合にも、その開始が遅れ、回路内が凍結してしまうという課題を有していた。
【００１２】
【課題を解決するための手段】
本発明は上記課題を解決するために、外気温検知部が所定温度以下を検知し、かつ、浴槽水が通常の追焚経路を循環して追焚運転が所定時間継続した場合、往き通路切換弁と、戻り通路切換弁とを駆動し、通常の追焚経路から暖房水循環経路を経由する追焚経路に切り替える制御手段を備えたものである。
【００１３】
上記発明によれば、過熱されていない暖房回路の暖房戻り温度検知部がその伝熱により温度が上昇しても、回路内の滞留水を循環させる事により、循環回路内の温度を正確に検知することが出来るので、外気温が低下して凍結予防運転が必要な場合には、確実に運転を行う事が出来る。
【００１４】
【発明の実施の形態】
請求項１記載の発明は、給湯用熱交換器と追焚・暖房用熱交換器よりなる１缶３水式熱交換器と、前記給湯用熱交換器で加熱された湯を追焚回路に供給する注湯回路に配した給湯電磁弁と、前記追焚・暖房用熱交換器の下流に設けた追焚・暖房往き通路と、前記追焚・暖房往き通路の温水温度を検知する追焚・暖房往き温度検知部と、前記追焚・暖房往き通路から分岐した追焚往き通路と暖房往き通路を切換える往き通路切換弁と、浴槽からの循環水が流れる追焚戻り通路と、前記追焚戻り通路の温水温度を検知する追焚戻り温度検知部と、暖房端末機からの循環水が流れる暖房戻り第１通路と、前記暖房戻り第１通路の温水温度を検知する暖房戻り温度検知部と、前記暖房戻り通路の下流に設けたタンクと、前記追焚往き通路とタンクをつなぐバイパス通路と、前記追焚戻り通路とタンクをつなぐ暖房戻り第２通路と、前記追焚戻り通路と暖房戻り第２通路を切換える戻り通路切換弁と、前記追焚・暖房用熱交換器の上流に設けられた追焚・暖房戻り通路と、前記追焚・暖房戻り通路に設けた浴槽水および暖房水を循環させる循環ポンプと、前記追焚・暖房戻り通路に設けた水流検知部と、外気温を検知する外気温検知部を備え、前記外気温検知部が所定温度以下を検知し、かつ、浴槽水が通常の追焚経路を循環して追焚運転が所定時間継続した場合、前記往き通路切換弁と、戻り通路切換弁とを駆動し、通常の追焚経路から暖房水循環経路を経由する追焚経路に切り替える制御手段を備えたことを特徴とするもので、前記通常の追焚経路として、浴槽から追焚戻り通路、戻り通路切換弁、追焚・暖房戻り通路、追焚・暖房用熱交換器、追焚・暖房往き通路、往き通路切換弁、追焚往き通路、浴槽へと循環する経路をいい、暖房水循環経路を経由する追焚経路とは、追焚戻り通路、戻り通路切換弁、追焚・暖房戻り通路、追焚・暖房用熱交換器、追焚・暖房往き通路、往き通路切換弁、暖房往き通路、暖房端末機、タンク、バイパス通路、追焚往き通路、浴槽へと浴槽水を循環させる経路をいう。
【００１５】
そして、追焚運転のみが長時間継続され、その伝熱により、暖房戻り温度検知部が回路内の滞留水の温度より高く検出されても、回路内の滞留水を循環させることにより、回路の凍結を予防し、機器を破損から防ぐことが出来る。
【００１６】
請求項２記載の発明は、制御手段は、外気温検知部が所定温度以下を検知し、かつ、浴槽水が通常の追焚経路を循環して追焚運転が所定時間継続した場合、前記往き通路切換弁と、戻り通路切換弁とを駆動し、浴槽水循環経路から暖房水循環経路を形成するように切り替えることを特徴とするものである。
【００１７】
そして、追焚運転のみが長時間継続され、その伝熱により、暖房戻り温度検知部が回路内の滞留水の温度より高く検出されても、回路内の滞留水を循環させることにより、回路の凍結を予防し、機器を破損から防ぐことが出来る。
【００１８】
請求項３記載の発明は、制御手段は、給湯入水側に設けた入水温度を検知する入水温度検知部が所定温度以下を検知し、かつ、浴槽水が通常の追焚経路を循環して追焚運転が所定時間継続した場合、前記往き通路切換弁と、戻り通路切換弁とを駆動し、通常の追焚経路から暖房水循環経路を経由する追焚経路に切り替えることを特徴とするものである。
【００１９】
そして、追焚運転のみが長時間継続され、その伝熱により、暖房戻り温度検知部が回路内の滞留水の温度より高く検出されても、回路内の滞留水を循環させることにより、回路の凍結を予防し、機器を破損から防ぐことが出来る。
【００２０】
請求項４記載の発明は、制御手段は、給湯入水側に設けた入水温度を検知する入水温度検知部が所定温度以下を検知し、かつ、浴槽水が通常の追焚経路を循環して追焚運転が所定時間継続した場合、前記往き通路切換弁と、戻り通路切換弁とを駆動し、浴槽水循環経路から暖房水循環経路を形成するように切り替えることを特徴とするものである。
【００２１】
そして、追焚運転のみが長時間継続され、その伝熱により、暖房戻り温度検知部が回路内の滞留水の温度より高く検出されても、回路内の滞留水を循環させることにより、回路の凍結を予防し、機器を破損から防ぐことが出来る。
【００２２】
【実施例】
以下、本発明の実施例について図面を用いて説明する。なお、従来例と同一部品には同一番号を付し説明する。
【００２３】
図１は本発明の実施例１〜４に共通の１缶３水式熱交換器の追焚・暖房機能付給湯装置の構造図である。
【００２４】
給湯運転時には、給湯栓１を開くと湯量センサー２が通水を検知した後、燃焼用ファン３が回転し、ガス元電磁弁４、ガス比例弁５が開き、バーナ６に着火し、給湯用熱交換器７で加熱される。
【００２５】
ここで給湯用熱交換器７で加熱された湯は、給湯回路８の入水側に設けたバイパス制御弁９により、入水側の水と混合される。混合された湯は遠隔操作用リモコン１０で設定した給湯設定温度になるよう出湯サーミスター１１の信号によりバイパス制御弁９の開度を調整し、給湯接続口１２を経て給湯栓１より給湯される。
【００２６】
次に追焚運転時には、循環ポンプ１５により浴槽１６の浴槽水１７は、追焚戻り通路１８、戻り通路切換弁１９を経て流水検知部１３にて循環を検知されると、燃焼用ファン３が回転し、ガス元電磁弁４、ガス比例弁５が開き、バーナ６に着火し、追焚・暖房用熱交換器２０で加熱され追焚・暖房往き通路２１、往き通路切換弁２２、追焚往き通路２３、浴槽１６へ循環される。
【００２７】
次に暖房運転時には、循環ポンプ１５により暖房端末機２４の暖房水２５は、暖房戻り第１通路２６、タンク２７、暖房戻り第２通路２８、戻り通路切換弁１９を経て流水検知部１３にて循環を検知されると、燃焼用ファン３が回転し、ガス元電磁弁４、ガス比例弁５が開き、バーナ６に着火し、追焚・暖房用熱交換器２０で加熱され追焚・暖房往き通路２１、往き通路切換弁２２、暖房往き通路２９、暖房端末機２４へ循環される。
【００２８】
次に追焚、暖房同時運転時には、循環ポンプ１５により浴槽１６の浴槽水１７は、追焚戻り通路１８、戻り通路切換弁１９を経て流水検知部１３にて循環を検知されると、燃焼用ファン３が回転し、ガス元電磁弁４、ガス比例弁５が開き、バーナ６に着火し、追焚・暖房用熱交換器２０で加熱され追焚・暖房往き通路２１、往き通路切換弁２２、暖房往き通路２９、暖房端末機２４、タンク２７、バイパス通路３２、追焚往き通路２３、浴槽１６へ循環される。
【００２９】
次に自動お湯はり運転時には、給湯用熱交換器７で加熱された湯は、給湯電磁弁３０が開き、一方は追焚・暖房戻り通路３１、追焚・暖房用熱交換器２０、追焚・暖房往き通路２１、往き通路切換弁２２、追焚往き通路２３から浴槽１６へ供給され、他方は戻り通路切換弁１９、追焚戻り通路１８から浴槽１６へ供給される。
【００３０】
ここで、追焚戻り温度検知部３６が所定の温度以下を検知した場合、往き通路切換弁２２と、戻り通路切換弁１９とを駆動し、循環ポンプ１５により浴槽１６の浴槽水１７は、追焚戻り通路１８、戻り通路切換弁１９、追焚・暖房用熱交換器２０、追焚・暖房往き通路２１、往き通路切換弁２２、追焚往き通路２３、浴槽１６へ循環されるため、回路の凍結を予防し、機器を破損から防ぐことが出来る。
【００３１】
またここで、暖房戻り温度検知部３７が所定の温度以下を検知した場合、往き通路切換弁２２と、戻り通路切換弁１９とを駆動し、循環ポンプ１５により、暖房端末機２４の暖房水２５は、暖房戻り第１通路２６、タンク２７、暖房戻り第２通路２８、戻り通路切換弁１９から流水検知部１３、追焚・暖房用熱交換器２０、追焚・暖房往き通路２１、往き通路切換弁２２、暖房往き通路２９、暖房端末機２４へ循環されるため、回路の凍結を予防し、機器を破損から防ぐことが出来る。
【００３２】
またここで、追焚戻り温度検知部３６と、暖房戻り温度検知部３７が共にそれぞれ所定の温度以下を検知した場合、往き通路切換弁２２と、戻り通路切換弁１９とを駆動し、循環ポンプ１５により浴槽１６の浴槽水１７は、追焚戻り通路１８、戻り通路切換弁１９、流水検知部１３、追焚・暖房用熱交換器２０、追焚・暖房往き通路２１、往き通路切換弁２２、暖房往き通路２９、暖房端末機２４、タンク２７、バイパス通路３２、追焚往き通路２３、から浴槽１６へ循環されるため、回路の凍結を予防し、機器を破損から防ぐことが出来る。
【００３３】
外気温検知部３８が所定の温度以下（例えば、４℃以下）を検知している場合に、追焚運転のみが所定時間運転されると、暖房戻り温度検知部３７は、その伝熱により暖房循環回路ないの滞留水よりも高い温度を検知してしまう。そこで、往き通路切換弁２２と、戻り通路切換弁１９とを駆動し、循環ポンプ１５により浴槽１６の浴槽水１７は、追焚戻り通路１８、戻り通路切換弁１９、追焚・暖房用熱交換器２０、追焚・暖房往き通路２１、往き通路切換弁２２、暖房往き通路２９、暖房端末機２４、タンク２７、バイパス通路３２、追焚往き通路２３、浴槽１６へ循環させる。これにより、滞留水の温度を正確に検知し、凍結予防運転に備える事が出来る。
【００３４】
また、外気温検知部３８が所定の温度以下（例えば、４℃以下）を検知している場合に、追焚運転のみが所定時間運転されると、暖房戻り温度検知部３７は、その伝熱により暖房循環回路ないの滞留水よりも高い温度を検知してしまう。そこで、往き通路切換弁２２と、戻り通路切換弁１９とを駆動し、循環ポンプ１５により、暖房端末機２４、暖房戻り第１通路２６、タンク２７、暖房戻り第２通路２８、戻り通路切換弁１９、追焚・暖房用熱交換器２０、追焚・暖房往き通路２１、往き通路切換弁２２、暖房往き通路２９、暖房端末機２４へ循環させる。これにより、滞留水の温度を正確に検知し、凍結予防運転に備える事が出来る。
【００３５】
（実施例２）
また、入水温検知部３９が所定の温度以下（例えば、４℃以下）を検知している場合に、追焚運転のみが所定時間運転されると、暖房戻り温度検知部３７は、その伝熱により暖房循環回路ないの滞留水よりも高い温度を検知してしまう。そこで、往き通路切換弁２２と、戻り通路切換弁１９とを駆動し、循環ポンプ１５により浴槽１６の浴槽水１７は、追焚戻り通路１８、戻り通路切換弁１９、追焚・暖房用熱交換器２０、追焚・暖房往き通路２１、往き通路切換弁２２、暖房往き通路２９、暖房端末機２４、タンク２７、バイパス通路３２、追焚往き通路２３、浴槽１６へ循環させる。これにより、滞留水の温度を正確に検知し、凍結予防運転に備える事が出来る。
【００３６】
（実施例３）
また、入水温検知部３９が所定の温度以下（例えば、４℃以下）を検知している場合に、追焚運転のみが所定時間運転されると、暖房戻り温度検知部３７は、その伝熱により暖房循環回路ないの滞留水よりも高い温度を検知してしまう。そこで、往き通路切換弁２２と、戻り通路切換弁１９とを駆動し、循環ポンプ１５により、暖房端末機２４、暖房戻り第１通路２６、タンク２７、暖房戻り第２通路２８、戻り通路切換弁１９、追焚・暖房用熱交換器２０、追焚・暖房往き通路２１、往き通路切換弁２２、暖房往き通路２９、暖房端末機２４へ循環させる。これにより、滞留水の温度を正確に検知し、凍結予防運転に備える事が出来る。
【００３７】
【発明の効果】
以上のように本発明によれば、追焚運転のみが長時間継続された場合、往き通路切換弁と、戻り通路切換弁とを駆動し、暖房回路内の循環水を循環させる制御手段を備えているので、過熱されていない暖房回路の暖房戻り温度検知部がその伝熱により温度が上昇しても、回路内の滞留水を循環させる事により、循環回路内の温度を正確に検知することが出来るので、外気温が低下して凍結予防運転が必要な場合には、確実に運転を行う事が出来る。
【図面の簡単な説明】
【図１】本発明の一実施例の追焚・暖房機能付給湯装置を示す構造図
【図２】従来の追焚・暖房機能付給湯装置を示す構造図
【符号の説明】
７  給湯用熱交換器
１５  循環ポンプ
１６  浴槽
１７  浴槽水
１８  追焚戻り通路
１９  戻り通路切換弁
２０  追焚・暖房用熱交換器
２１  追焚・暖房往き通路
２２  往き通路切換弁
２３  追焚往き通路
２４  暖房端末機
２５  暖房水
２６  暖房戻り第１通路
２７  タンク
２８  暖房戻り第２通路
２９  暖房往き通路
３０  給湯電磁弁
３２  バイパス通路
３３  制御手段
３６  追焚戻り温度検知部
３７  暖房戻り温度検知部
３８  外気温検知部
【図１】
2004347286.tif 000003
【図２】
2004347286.tif 000004